(57)【要約】【課題】測定装置において、流路内の化合物溶液の流動による測定精度の低下を抑制する。【解決手段】リガンドＴａが固定された測定面５１を有する基体ブロック５０とリガンドＴａ上へアナライト溶液Ｋｙを導く流路６１を構成するために測定面５１上に配置された流路ブロック６０とからなる測定部１０１を用意し、注入部７１により流路６１の上流側に配された流路入口６２からアナライト溶液Ｋｙを流路６１内に注入して流路６１内に注入されたアナライト溶液Ｋｙ中のアナライトＫとリガンドＴａとの結合状態を測定するにあたり、入口吸引部８０により流路６１内に注入されたアナライト溶液Ｋｙの一部を流路入口６２から吸引して取り出す。【選択図】図３ｄ
2007192654.tif 000002
【特許請求の範囲】
【請求項１】
リガンドを固定した測定面を有する基体ブロックと前記リガンド上へアナライトを溶解したアナライト溶液を導く流路を形成するために前記測定面上に配置された流路ブロックとからなる測定部と、
前記測定部に形成された流路の上流側に配された流路入口から前記アナライト溶液を前記流路内に注入する注入手段とを備え、
前記流路内に注入された前記アナライト溶液中の前記アナライトと前記リガンドとの結合状態を測定する測定装置において、
前記流路内に注入された前記アナライト溶液の一部を前記流路入口から吸引して取り出す入口吸引手段を備えたことを特徴とする測定装置。
【請求項２】
前記注入手段が、前記入口吸引手段を兼ねるものであることを特徴とする請求項１記載の測定装置。
【請求項３】
前記流路の下流側に配された流路出口から前記流路内に注入されたアナライト溶液の一部を吸引して取り出す出口吸引手段を備え、該出口吸引手段が、前記入口吸引手段を兼ねるものであることを特徴とする請求項１記載の測定装置。
【発明の詳細な説明】
【技術分野】
【０００１】
本発明は測定装置に関し、詳しくは、アナライト溶液を通す流路内でのアナライトとリガンドとの結合状態を測定する測定装置に関するものである。
【背景技術】
【０００２】
従来より、タンパクと化合物との結合状態を測定する全反射減衰を利用した測定装置が知られている。上記全反射減衰を利用した測定装置の一例である表面プラズモン共鳴を利用した測定装置には、リガンドとなるタンパクが固定される測定面を有する誘電体ブロックと、上記測定面に固定されたタンパク上へアナライトとなる化合物を溶解した化合物溶液、すなわちアナライト溶液を通す流路が形成された流路ブロックとからなる測定部を備えたものが知られている（特許文献１参照）。上記測定面は全反射減衰角を測定するための全反射面であり、誘電体ブロック上に金属膜が積層されたものである。
【０００３】
上記表面プラズモン共鳴を利用した測定装置では、上記測定部に形成された流路の上流側に配された流路入口から注入管を通して化合物溶液を注入し、その化合物溶液と測定面に固定されたタンパクとを接触させてこの測定面における全反射減衰角の変化を測定することにより上記タンパクと化合物との結合状態を測定している。
【０００４】
より具体的には、全反射減衰角の測定を開始した後、流路入口から流路の容量の数倍以上の化合物溶液を注入し、その後、化合物溶液の注入を停止させて流路内に化合物溶液を滞留させた状態で所定滞留時間経過した後、全反射減衰角の測定を終了する。上記測定開始から測定終了までの全反射減衰角の変化に基づいて、上記タンパクと化合物との結合状態を測定することができる。
【０００５】
なお、流路の下流側には流路出口が設けられており、上記流路入口から注入された化合物溶液のうち流路出口から排出された分は吸引管を通して吸引され取り出される。
【０００６】
さらに、化合物溶液の注入量を不要に増大させないように、流路の容量を２０マイクロリットル以下、流路の最大径を１ｍｍ以下にした測定装置も検討されている。
【０００７】
また、上記全反射減衰角の変化量の測定には高い精度が求められるため測定中の測定部への振動は抑制されている。例えば、上記化合物溶液の注入を停止させ流路内に化合物溶液を滞留させているときに流路内の化合物溶液が振動等によって流動すると、化合物溶液とタンパクとの接触状態が変化するため上記全反射減衰角の変化量が変動してしまう。そのため、上記のような測定装置には一般に防振対策が施されている。
【０００８】
【特許文献１】特開２００５−２５７５２２号公報
【発明の開示】
【発明が解決しようとする課題】
【０００９】
ところで、上記流路入口に配された注入管および流路出口に配された吸引管は、流路入口からの化合物溶液の注入を停止させた後、両方共に流路ブロックから離されて待機状態となる。したがって、流路内に化合物溶液を滞留させている所定滞留時間経過中には、流路内の化合物溶液は流路ブロックの外部から何の作用も受けていない。
【００１０】
しかしながら、その所定滞留時間経過中に、流路入口の化合物溶液の液面位置が徐々に上昇し、さらに流路入口から化合物溶液が溢れ出してしまうことがある。
【００１１】
上記のように測定中に液面位置が変動すると、流路内に収容されている化合物溶液が流動して化合物とタンパクとの接触状態が変化するため全反射減衰角が変動してしまい、タンパクと化合物との結合状態の測定精度が低下するという問題がある。さらに、上記流路の径を細くするとこの問題はさらに深刻になる。
【００１２】
なお、上記タンパクと化合物との結合状態の測定精度の低下は誘電体ブロックを用いて全反射減衰角を測定する場合に限らず、流路内に注入されたアナライト溶液中のアナライトと基体ブロックに固定されたリガンドとの結合状態を測定する場合に一般に生じる問題である。
【００１３】
本発明は、上記事情に鑑みてなされたものであり、流路内のアナライト溶液の流動による測定精度の低下を抑制することができる測定装置を提供することを目的とするものである。
【課題を解決するための手段】
【００１４】
本発明の測定装置は、リガンドを固定した測定面を有する基体ブロックと前記リガンド上へアナライトを溶解したアナライト溶液を導く流路を形成するために測定面上に配置された流路ブロックとからなる測定部と、この測定部に形成された流路の上流側に配された流路入口からアナライト溶液を前記流路内に注入する注入手段とを備え、流路内に注入された前記アナライト溶液中のアナライトと前記リガンドとの結合状態を測定する測定装置において、流路内に注入されたアナライト溶液の一部を流路入口から吸引して取り出す入口吸引手段を備えたことを特徴とするものである。
【００１５】
前記注入手段は、入口吸引手段を兼ねるものとすることができる。
【００１６】
前記測定装置が流路の下流側に配された流路出口から流路内に注入されたアナライト溶液の一部を吸引して取り出す出口吸引手段を備えたものである場合には、この出口吸引手段は入口吸引手段を兼ねるものとすることができる。
【００１７】
前記リガンドは、基体ブロックに固定された物質であって、特定の物質に対して特異的に結合するものを意味するものである。
【００１８】
前記アナライトは、前記リガンドに結合させる物質を意味するものである。
【００１９】
前記測定面は、例えば測定するために入射された光を全反射させる面とすることができる。
【００２０】
前記基体ブロックは、測定するために入射される光に対して透明であって、ガラス部材や樹脂部材等からなる誘電体ブロックとすることができる。
【００２１】
前記測定装置は、基体ブロックとして誘電体ブロックを備え、リガンドを固定した上記誘電体ブロックの測定面に入射し全反射した光に生じた全反射減衰の角度（全反射減衰角）を測定する全反射減衰を利用した測定装置とすることができる。また、前記全反射減衰は表面ブラズモン共鳴によって生じるものとすることができる。
【発明の効果】
【００２２】
本発明の測定装置は、流路内に注入されたアナライト溶液の一部を流路入口から吸引して取り出す入口吸引手段を備えるようにしたので、流路内のアナライト溶液の液面位置変動による測定精度の低下を抑制することができる。
【００２３】
すなわち、入口吸引手段により流路入口から流路内のアナライト溶液の一部を吸引して液面位置の変動分の一部あるいは全部を予め取り出すことができ、これにより、上記液面位置を変動させる作用を抑制することができる。その結果、流路内のアナライト溶液の液面位置の変動を少なくすることができ、例えば、上記所定滞留時間経過中のアナライト溶液の流動によるリガンドとアナライトとの接触状態の変化によって生じる測定精度の低下を抑制することができる。なお、上記作用としては、例えば、毛細管現象による流路入口近傍の流路内へのアナライト溶液の引き込み等により液面位置を変動させる作用等を挙げることができる。
【００２４】
また、前記注入手段を、入口吸引手段を兼ねるものとすれば、より容易に流路入口から流路内のアナライト溶液の一部を吸引して取り出すことができ、上記測定精度の低下をより容易に抑制することができる。
【００２５】
さらに、上記測定装置が流路の下流側に配された流路出口から流路内に注入されたアナライト溶液の一部を吸引して取り出す出口吸引手段を備え、この出口吸引手段が、入口吸引手段を兼ねるものとすれば、上記と同様の理由により上記測定精度の低下をより容易に抑制することができる。
【発明を実施するための最良の形態】
【００２６】
以下、本発明の実施の形態について、図面を用いて説明する。図１は本発明の実施の形態による測定装置の概略構成を示す概念図、図２は誘電体ブロックと流路ブロックとからなる測定部を示す斜視図である。なお、図１に示す流路ブロックは測定面と直交し流路出口を通る図中Ｘ-Ｙ面と平行な面で切断した断面を示している。
【００２７】
図１および図２に示すように、本発明の測定装置の一例である全反射減衰を利用した測定装置１００は、リガンドであるタンパクＴａが固定された測定面５１を有する、基体ブロックの一例である誘電体ブロック５０、およびアナライトである化合物Ｋを溶解したアナライト溶液、すなわち化合物溶液Ｋｙを上記タンパクＴａ上へ導く流路６１を構成するために測定面５１上に配置された流路ブロック６０からなる測定部１０１と、流路６１の上流側に配された流路入口６２から上記化合物溶液Ｋｙを流路６１内に注入する注入部７１とを備え、流路６１内に注入された化合物溶液Ｋｙ中の化合物Ｋと測定面５１に固定されたタンパクＴａとの結合状態を測定するものである。
【００２８】
上記誘電体ブロック５０の測定面５１は、全反射減衰角を測定する際に入射される光ビームＬｅを全反射させる面である。なお、誘電体ブロック５０の測定面５１に金膜５２、タンパクＴａをこの順に積層することによって、上記タンパクＴａを誘電体ブロック５０の測定面５１上に固定している。
【００２９】
上記流路６１の容量は１０マイクロリットル、流路６１の伸びる方向に直交するこの流路６１の断面の最大面積は０．５ｍｍである。
【００３０】
上記誘電体ブロック５０はシリコン部材やポリエチレン部材等で形成することができる。また、流路ブロック６０は樹脂部材やガラス部材等で形成することができる。
【００３１】
さらに、上記測定装置１００は、流路６１の下流側に配された流路出口６３から流路６１内に注入された化合物溶液Ｋｙの一部を吸引して取り出す出口吸引部７５と、流路６１内に注入された化合物溶液Ｋｙの一部を流路入口６２から吸引して取り出す入口吸引部８０とを備えている。
【００３２】
また、全反射減衰角測定部１０２が、誘電体ブロック５０を通して測定面５１に光ビームＬｅを入射させ、この測定面５１で全反射した光ビームＬｅを測定して上記測定面５１で生じた表面プラズモン共鳴に応じた全反射減衰角を得、上記全反射減衰角に基づいて化合物ＫとタンパクＴａとの結合状態を示す測定値を取得する。
【００３３】
より詳しくは、全反射減衰角測定部１０２は、光ビームＬｅを発生させるレーザ光源１４、レーザ光源１４から発せられた光ビームＬｅを平行光化するコリメートレンズ１５ａ、および上記平行光化された光ビームＬｅを収束させつつ誘電体ブロック５０の側面５０Ｌから入射させ、この誘電体ブロック５０の測定面５１に入射させる集光レンズ１５ｂを備えている。
【００３４】
さらに、この全反射減衰角測定部１０２は、測定面５１で全反射せしめられ発散状態で誘電体ブロック５０の側面５０Ｒから射出された光ビームＬｅを平行光化するコリメートレンズ１６、この平行光化された光ビームＬｅを検出する多数の受光素子を１方向に並べてなる受光部１７、この受光部１７で検出した全反射減衰角を示す信号を処理してタンパクＴａと化合物Ｋとの結合量を得る信号処理部１８、および上記信号処理部１８で処理した結果を表示する表示部１９とを備えている。上記受光素子が並べられている１方向は、測定面５１で全反射せしめられた光ビームＬｅの伝播方向と直交し、かつ図中Ｘ-Ｙ平面と平行な方向である。
【００３５】
測定面５１に入射させる光ビームＬｅは、測定面５１に対して種々の入射角θで入射する成分を含み、その入射角θは、全反射角以上の角度とされる。したがって、測定面５１で全反射した光ビームＬｅは、全反射減衰を示す暗線Ｄｒｋの成分が含まれたものとなる。
【００３６】
なお、制御部１０３が、上記注入部７１、出口吸引部７５、入口吸引部８０、および全反射減衰角測定部１０２等の動作およびそれらの動作のタイミング等をコントロールする。
【００３７】
以下、測定装置１００により化合物ＫとタンパクＴａとの結合状態を示す測定値を取得する際の動作について説明する。図３（ａ）〜（ｅ）は上記測定装置により化合物とタンパクとの結合状態を測定する様子を示す概念図、図４は、横軸ｔに時間、縦軸Ｅに全反射減衰角に対応する角度データの値を示す座標上に時間の経過とともに変化する角度データの値を示す図である。また、図５（ａ）、（ｂ）は流路内の化合物溶液Ｋｙの一部を流路入口から吸引して取り出さなかったときの流路内の化合物溶液の挙動を示す図である。
【００３８】
なお、図３（ａ）〜（ｅ）は、この順に、上記測定の様子（工程）を時系列的に示すものである。また、図５（ａ）は流路内の化合物溶液を流路入口から取り出さなかったときに流路内化合物溶液の液面が上昇する様子を示す図、図５ｂは流路内の化合物溶液を流路入口から取り出さなかったときに流路内の化合物溶液が流路から溢れ出す様子を示す図である。
【００３９】
図３（ａ）に示すように、初期状態では、測定面５１上に固定されたタンパクＴａと結合しない、例えばリン酸緩衝液（ＰＢＳ）からなるバッファ溶液Ｂｙが流路６１中に満たされている。
【００４０】
また、上記初期状態では、注入部７１が有する注入管７２、出口吸引部７５が有する出口吸引管７６、入口吸引部８０が有する入口吸引管８１のそれぞれは、流路入口６２および流路出口６３から離れた位置に待機している。すなわち、上記バッファ溶液Ｂｙに対する全反射減衰角の測定に対して影響が及ばないように上記各部を待機させておく。
【００４１】
この状態で、全反射減衰角測定部１０２が、上記全反射減衰角を示す角度データの測定を開始する。
【００４２】
図４に示すように、上記状態を保った時刻ｔｏから一定時間経過後の時刻ｔ１までの上記全反射減衰角を示す角度データＤａ（ｔｏ−ｔ１）の値は一定値α１を示す。このとき取得された上記角度データＤａの値α１が測定の基準点となる。
【００４３】
上記時刻ｔ１において、図３（ｂ）に示すように、注入管７２の先端部７２Ａを流路入口６２の注入位置に位置させるとともに、出口吸引管７６の先端部７６Ｂを流路出口６３の吸引位置に位置させる。そして、注入部７１が、注入管７２の先端部７２Ａから化合物溶液Ｋｙを吐出し、この化合物溶液Ｋｙを流路入口６２に通して流路６１内へ注入する。これとともに、出口吸引部７５が、流路出口６３から排出された上記バッファ溶液Ｂｙおよび化合物溶液Ｋｙを出口吸引管７６の先端部７６Ｂから吸引して取り出す。
【００４４】
なお、流路ブロック６０には、流路入口６２から外部に向けて開口が広がるように形成されたテーパ部６４が設けられており、このテーパ部６４に注入管７２の側面を密着させた状態で上記化合物溶液Ｋｙの吐出が行なわれる。これにより、流路入口６２を通した化合物溶液Ｋｙの外部への漏れを抑制している。
【００４５】
また、流路ブロック６０には、流路出口６３から排出された上記バッファ溶液Ｂｙおよび化合物溶液Ｋｙを溜めておく排液溜部６５が設けられている。上記排液溜部６５は流路ブロック６０の上側の一部を除去して形成した凹形状部分であり、この凹形状部分の底部の中央に流路出口６３が位置している。出口吸引部７５は、排液溜部６５に溜まったバッファ溶液Ｂｙおよび化合物溶液Ｋｙを上記先端部７６Ｂから吸引して取り出す。
【００４６】
注入部７１は、時刻ｔ２までに流路６１の容量の９倍の化合物溶液Ｋｙをこの流路６１内へ注入してからその注入を停止する。また、上記化合物溶液Ｋｙの流路６１内への注入の停止にともない、出口吸引部７５は、上記流路出口６３から排出されたバッファ溶液Ｂｙおよび化合物溶液Ｋｙの吸引を停止する。これにより、流路６１内に収容されていたバッファ溶液Ｂｙが全て排出される。
【００４７】
図４に示すように、時刻ｔ１から時刻ｔ２までの間に全反射減衰角を示す角度データＤａ（ｔ１−ｔ２）の値は急激に大きくなる。この急激な変化は、主に、流路６１内に収容されていたバッファ溶液Ｂｙが、このバッファ溶液Ｂｙより屈折率の高い化合物溶液Ｋｙに入れ替わったことに起因するものであり、さらに、流路６１内に注入された化合物溶液Ｋｙ中の化合物Ｋと測定面５１上のタンパクＴａとの結合による全反射減衰角の変化分をも含んでいる。
【００４８】
上記時刻ｔ２において、図３（ｃ）に示すように、化合物溶液Ｋｙの流路６１内への注入が停止されると、直ぐに、注入管７２および出口吸引管７６は、流路入口６２および流路出口６３から離れた位置に移動せしめられる。そして、図３（ｄ）に示すように、入口吸引管８１の先端部８１Ｃを流路入口６２に位置させ、入口吸引部８０が、流路６１内の化合物溶液Ｋｙの一部を流路入口６２から吸引して取り出す。
【００４９】
その後、図３（ｅ）に示すように、入口吸引管８１は流路入口６２から離されて元の位置に戻される。そして流路６１内での上記化合物ＫとタンパクＴａとの結合状態が飽和する時刻ｔ３までの化合物溶液Ｋｙを流路６１内に滞留させる。上記流路６１内に化合物溶液Ｋｙを滞留させている所定滞留時間の間、この化合物溶液Ｋｙに対する全反射減衰角の測定に対して影響が及ばないように、入口吸引管８１、出口吸引管７６、および注入管７２のそれぞれを流路入口６２および流路出口６３から離れた位置に待機させておく。
【００５０】
図４に示すように、時刻ｔ２から時刻ｔ３までの所定滞留時間経過中に上記全反射減衰角を示す角度データＤａ（ｔ２−ｔ３）の値は徐々に大きくなる。この変化は、主に、測定面５１に固定されたタンパクＴａと化合物溶液Ｋｙとの結合によって生じたものである。上記化合物ＫとタンパクＴａとの結合状態が飽和した時刻ｔ３における全反射減衰角を示す角度データＤａ（ｔ３）の値はβｍとなる。
【００５１】
ここで、上記流路６１内の化合物溶液Ｋｙの一部を吸引して取り出したことにより、化合物溶液Ｋｙを流路６１内に滞留させている間の流路入口６２近傍の流路６１における化合溶液Ｋｙの液面位置の上昇を抑制することができる。
【００５２】
すなわち、上記時刻ｔ２において、入口吸引部８０により流路６１内の化合物溶液Ｋｙの一部を流路入口６２から吸引して取り出さなかった場合には、図５（ａ）に示すように、流路入口６２の近傍の流路６１あるいはテーパ部６４における化合溶液Ｋｙの液面位置が上昇する。さらに、図５（ｂ）に示すように、テーパ部６４から化合溶液Ｋｙが溢れ出すこともある。このように、流路６１内において化合物溶液Ｋｙが流動すると、化合物溶液Ｋ中の化合物Ｋと測定面５１上のタンパクＴａとの接触状態が変化して全反射減衰角を示す角度データの値が変動するため、化合物ＫとタンパクＴａとの結合量の測定精度が低下する。
【００５３】
上記時刻ｔ３において、流路６１内にバッファ液を注入する。これにより、流路６１内で化合物溶液ＫｙとタンパクＴａとが結合していた場合には、タンパクＴａから化合物溶液Ｋｙが離脱する。また、時刻ｔ４までに、流路６１内の状態および各部の状態を初期状態に戻し、すなわち、上記図３（ａ）で示した状態に戻して次の測定が可能となる。
【００５４】
図４に示すように、時刻ｔ３から時刻ｔ４まで上記全反射減衰角を示す角度データＤａ（ｔ３−ｔ４）の値は急激に小さくなる。この変化は、主に、流路６１内に滞留していた化合物溶液Ｋｙがこの化合物溶液Ｋｙより屈折率の低いバッファ溶液Ｂｙに入れ替わったことに起因するものであり、上記タンパクＴａから化合物溶液Ｋｙを離脱させたことによる全反射減衰角の変化をも含んでいる。
【００５５】
なお、タンパクＴａと化合物溶液Ｋｙとの結合量を求めるには、測定面５１Ａに金膜５２Ａのみを配した参照用の誘電体ブロック５０Ａ、すなわち上記タンパクＴａが固定されていない誘電体ブロック５０Ａを用意し上記と同様の測定を行なう。
【００５６】
上記誘電体ブロック５０Ａを用いた測定では、タンパクＴａが存在しないので、流路６１に化合物溶液Ｋｙを注入しても、この化合物溶液Ｋｙに含まれる化合物Ｋと結合するものはない。また、この誘電体ブロック５０Ａの測定面５１Ａ上の金膜５２Ａと結合するものもない。
【００５７】
そして、図４に示すように、タンパクＴａが固定されていない誘電体ブロック５０Ａを用いた測定により、上記タンパクＴａが固定された誘電体ブロック５０を用いた場合と同様の時刻ｔ３における全反射減衰角を示す角度データＤｂ（ｔ３）の参照値βｒを得る。そして、上記タンパクＴａが固定された誘電体ブロック５０を用いた測定によって得られた値である実測値βｍから、上記タンパクＴａが固定されていない誘電体ブロック５０Ａを用いた測定によって得られた参照値βｒを差し引いて得られた角度差データδ（ｔ３）が、タンパクＴａと化合物Ｋとの結合量に対応する値となる。
【００５８】
全反射減衰角測定部１０２が備える受光部１７で検出した、上記角度データＤａ（ｔ３）と参照用の角度データＤｂ（ｔ３）とは信号処理部１８へ入力され、この信号処理部１８が上記角度差データδ（ｔ３）を求める。さらに、上記信号処理部１８が上記値δをタンパクＴａと化合物Ｋとの結合量に換算し、上記誘電体ブロック５０の流路６１内におけるタンパクＴａと化合物Ｋとの結合量を求める。上記のようにして求められた結合量は表示部１９に表示される。
【００５９】
なお、上記実測値と参照値とは次のようにして取得することもできる。図６は１つの流路内に実測領域と参照領域とを設けた測定部を示す図である。
【００６０】
図６に示すように、実測値と参照値との同時測定を可能とする測定部１０１Ａは、誘電体ブロック５０Ａと流路ブロック６０Ａとで構成されている。誘電体ブロック５０Ａの測定面５１Ａ上に設けられている１つの流路６１Ａ内に、測定面５１Ａ上に金膜５２ＡとタンパクＴａとをこの順に積層し固定してなる実測用の実測領域Ｊｍと、測定面５１Ａ上に金膜５２Ａを固定しタンパクＴａを固定していない参照用の参照領域Ｊｒとの２つの領域を設け、これら２種類の領域について上記と同様の全反射減衰角の測定を同時に行なうようにしてもよい。
【００６１】
次に、流路ブロックに設けられた排液溜部の変形例について説明する。図７および図８は、流路ブロックに設けられた排液溜部の変形例を示す図である。
【００６２】
図７に示すように、流路ブロック６０Ｍに設けられた排液溜部６５Ｍは、流路出口６３Ｍから排出された化合物溶液Ｋｙを溜めておくものである。排液溜部６５Ｍは、流路ブロック６０Ｍの上面６９Ｍの側の一部を除去して形成した凹形状部分からなり、流路出口６３Ｍがこの凹形状部分の底部から突出するように設けられている。
【００６３】
また、排液溜部６５Ｍを構成している側面のうちの流路入口６２Ｍ側の側面が上記突出している流路出口６３Ｍの近傍に位置している。なお、上記流路入口６２Ｍは流路６１Ｍを通して流路出口６３Ｍに接続されているものである。また、上記凹形状部分の底部から突出している流路出口６３Ｍは、流路ブロック６０Ｍの上面６９Ｍより高さの低い位置に設けられている。
【００６４】
図８に示すように、流路ブロック６０Ｎに設けられた排液溜部６５Ｎは、流路出口６３Ｎから排出された化合物溶液Ｋｙを溜めておくものである。排液溜部６５Ｎは、流路ブロック６０Ｎの上面６９Ｎの側の一部を除去して形成した凹形状部分からなり、流路出口６３Ｎがこの凹形状部分の底部から突出するように設けられている。上記凹形状部分は上方（図中矢印Ｙ方向）から見たときにＵ字形状を成しており、Ｕ字形状の上側両端が流路入口６２Ｎ側に位置し、Ｕ字形状の下側端が流路出口６３Ｎ側に位置している。なお、上記流路入口６２Ｎは流路６１Ｎを通して流路出口６３Ｎに接続されているものである。また、上記凹形状部分の底部から突出している流路出口６３Ｎは、流路ブロック６０Ｎの上面６９Ｎより高さの低い位置に設けられている。
【００６５】
上記実施の形態においては、化合物溶液Ｋｙの流路６１内への注入後、入口吸引管８１の先端部８１Ｃを流路入口６２に位置させて流路６１内の化合物溶液Ｋｙの一部を流路入口６２から吸引して取り出す例を示したが、このような場合に限らず、どのような方式で流路６１内の化合物溶液Ｋｙの一部を流路入口６２から吸引して取り出してもよい。例えば、注入管７２の先端部７２Ａを流路入口６２に位置させて、注入部７１により流路６１内の化合物溶液Ｋｙの一部を流路入口６２から吸引して取り出すようにしてもよい。この場合、注入部７１は入口吸引手段を兼ねるものとなる。また、出口吸引管７６の先端部７６Ｂを流路入口６２に位置させて、出口吸引部７５により流路６１内の化合物溶液Ｋｙの一部を流路入口６２から吸引して取り出すようにしてもよい。この場合、出口吸引部７５は入口吸引手段を兼ねるものとなる。
【００６６】
入口吸引手段が注入手段を兼ねるものではない場合には、この入口吸入手段を、ピペット状のものではなく、先端が中空である針状のインジェクションチューブとしてもよい。
【００６７】
さらに、出口吸引手段、および入口吸引手段のいずれもが注入手段を兼ねるものではない場合にも、入口吸入手段を、ピペット状のものではなく、先端が中空である針状のインジェクションチューブとしてもよい。
【００６８】
なお、上記の実施の形態においては表面プラズモン共鳴の原理に基づく全反射減衰を利用した測定装置について説明したが、上記方式は、その他の原理に基づく全反射減衰を利用した測定装置にも適用することができる。例えば漏洩モード測定装置にも適用することができる。
【００６９】
さらに、本発明は誘電体ブロックと全反射減衰を利用した測定装置に適用する場合に限らない。すなわち、本発明は、非誘電体からなるブロックを用いて上記アナライトとリガンドとの結合状態を測定する場合、あるいは全反射減衰を利用することなく上記アナライトとリガンドとの結合状態を測定する場合にも適用することができる
【図面の簡単な説明】
【００７０】
【図１】本発明の実施の形態による測定装置の概略構成を示す概念図
【図２】誘電体ブロックと流路ブロックとからなる測定部を示す斜視図
【図３ａ】測定装置により化合物とタンパクとの結合状態を測定する第１工程の様子を示す概念図
【図３ｂ】測定装置により化合物とタンパクとの結合状態を測定する第１工程の様子を示す概念図
【図３ｃ】測定装置により化合物とタンパクとの結合状態を測定する第３工程の様子を示す概念図
【図３ｄ】測定装置により化合物とタンパクとの結合状態を測定する第４工程の様子を示す概念図
【図３ｅ】測定装置により化合物とタンパクとの結合状態を測定する第５工程の様子を示す概念図
【図４】時間の経過とともに変化する角度データの値を示す図
【図５ａ】流路内の化合物溶液を流路入口から取り出さなかったときに流路内化合物溶液の液面が上昇する様子を示す図
【図５ｂ】流路内の化合物溶液を流路入口から取り出さなかったときに流路内の化合物溶液が流路から溢れ出す様子を示す図
【図６】１つの流路内に実測領域と参照領域とを設けた測定部を示す斜視図である。
【図７】流路ブロックに設けられた排液溜部の変形例を示す図
【図８】流路ブロックに設けられた排液溜部の変形例を示す図
【符号の説明】
【００７１】
５０    誘電体ブロック
５１    測定面
６０    流路ブロック
６１    流路
６２    流路入口
７１    注入部
８０    入口吸引部
１０１    測定部
Ｔａ    リガンド
Ｋ    アナライト
Ｋｙ    アナライト溶液
【図１】
2007192654.tif 000003
【図２】
2007192654.tif 000004
【図３ａ】
2007192654.tif 000005
【図３ｂ】
2007192654.tif 000006
【図３ｃ】
2007192654.tif 000007
【図３ｄ】
2007192654.tif 000008
【図３ｅ】
2007192654.tif 000009
【図４】
2007192654.tif 000010
【図５ａ】
2007192654.tif 000011
【図５ｂ】
2007192654.tif 000012
【図６】
2007192654.tif 000013
【図７】
2007192654.tif 000014
【図８】
2007192654.tif 000015